(57)【要約】【課題】蓋のキャニスタ本体に対する溶接部の検査を容易且つ正確にしかも被爆することなく行い得るようにする。【解決手段】収納された使用済み燃料３よりも上部において内周に一次蓋７及び二次蓋８が溶接されたキャニスタ２を格納し得るようにしたキャスク１であって、キャスク１には、キャスク１の上端開口を塞ぎ得るようにした遮蔽体兼用の枠体１３に備えられて二次蓋８のキャニスタ２内周に対する溶接部８ａを、キャスク１に格納されたキャニスタ２の外周側から検査し得るようにしたＵＴ探傷子１４を収納する空間を設ける。【選択図】        図１
2004309150.tif 000002
【特許請求の範囲】
【請求項１】
収納された使用済み燃料よりも上部において内周に蓋が溶接されたキャニスタを格納し得るようにしたキャスク構造であって、キャスクには、キャスクの上端開口を遮蔽し得るようにした遮蔽体兼用の枠体に備えられて前記蓋のキャニスタ内周に対する溶接部を、キャスクに格納されたキャニスタの外周側から検査し得るようにしたＵＴ探傷子を収納する空間を設けたことを特徴とするキャスク構造。
【請求項２】
ＵＴ探傷子により溶接部を検査されるキャニスタ内周に溶接された蓋は、一次蓋又は一次蓋よりも上方に位置する二次蓋である請求項１に記載のキャスク構造。
【発明の詳細な説明】
【０００１】
【発明の属する技術分野】
本発明はキャスク構造に関するものである。
【０００２】
【従来の技術】
使用済み核燃料中間貯蔵施設では、使用済み燃料を輸送或は移送する場合には、使用済み燃料を収納したバスケットをキャニスタに収納し、このキャニスタをキャスクに格納する必要がある。この際、使用済み燃料を収納されてキャスクに格納されたキャニスタの上端部には、蓋が溶接されているが、蓋の溶接部の健全性を確認するために、キャニスタをキャスクに格納したまま前記溶接部の検査を行う必要がある。
【０００３】
図２には、キャスクに格納されたキャニスタの蓋の溶接部をＵＴ探傷子により斜角探傷検査し得るようにした従来のキャスク構造の部分断面図が示されている。図中、１は輸送用或は移送用のキャスク、２はキャスク１内に格納されたキャニスタ、３はバスケット４に入れられてキャニスタ２に収納された使用済み燃料である。
【０００４】
キャニスタ２は円筒状のキャニスタ本体２ａを備えている。而して、キャニスタ本体２ａの上端部近傍内周には、環状の座５が溶接されており、座５の上面には遮蔽プラグ６が載置されている。
【０００５】
キャニスタ本体２ａ内における遮蔽プラグ６の上部には、遮蔽プラグ６の上面に支持されると共にキャニスタ本体２ａの内周に溶接された一次蓋７が設けられており、キャニスタ本体２ａ内における一次蓋７上部には、キャニスタ本体２ａの内周に溶接された二次蓋８が設けられている。而して、一次蓋７及び二次蓋８により二重蓋が形成されている。
【０００６】
又、図示してないが、キャスク１の上端には、着脱自在にキャスク蓋を取付け得るようになっている。
【０００７】
【発明が解決しようとする課題】
例えば、使用済み燃料３が入れられたバスケット４が収納されてキャスク１内に格納されたキャニスタ２における二次蓋８の溶接部８ａを検査する場合には、図示してないキャスク蓋を取外して図２に示すようにキャスク１の上部を開口させ、斜角探傷法によるＵＴ探傷検査（超音波探傷検査）か或は多層ＰＴ検査（多層液体浸透探傷検査）を行う。図２では、斜角探傷法によるＵＴ探傷試験を行う例を示し、図中９はＵＴ探傷子である。
【０００８】
斜角探傷法によるＵＴ探傷検査の場合は、超音波は二次蓋８の上面に支持されたＵＴ探傷子９から溶接部８ａに向かって斜めに発信され、溶接部８ａに欠陥がある場合には、超音波は欠陥で反射し、エコーとして斜めに戻って来る。このため、欠陥を正確に検出するのに難がある。又、キャスク１の上部は開口しているため、装置をセットする際に作業者が被爆する虞がある。
【０００９】
なお、斜角探傷法によるＵＴ探傷検査を行うのは、キャスク１の内周とキャニスタ２外周との間の隙間１０が小さく、隙間１０にＵＴ探傷子９をセットすることができないためである。又、検査時には、ＵＴ探傷子９は溶接部８ａの円周方向へ自動的に旋回しつつ検査が行われる。
【００１０】
多層ＰＴ検査の場合は、作業者が検査を行わなければならず、自動的に検査を行うことができないため、作業者の被爆が大となる。
【００１１】
本発明は、上述の実情に鑑み、蓋のキャニスタ本体に対する溶接部のＵＴ探傷検査を正確且つ被爆することなく容易に行い得るようにしたキャスク構造を提供することを目的としてなしたものである。
【００１２】
【課題を解決するための手段】
請求項１のキャスク構造は、収納された使用済み燃料よりも上部において内周に蓋が溶接されたキャニスタを格納し得るようにしたキャスク構造であって、キャスクには、キャスクの上端開口を遮蔽し得るようにした遮蔽体兼用の枠体に備えられて前記蓋のキャニスタ内周に対する溶接部を、キャスクに格納されたキャニスタの外周側から検査し得るようにしたＵＴ探傷子を収納する空間を設けたものである。
【００１３】
請求項２のキャスク構造においては、ＵＴ探傷子により溶接部を検査されるキャニスタ内周に溶接された蓋は、一次蓋又は一次蓋よりも上方に位置する二次蓋である。
【００１４】
本発明によれば、蓋のキャニスタ本体に対する溶接部の検査を容易且つ正確に行うことができると共に、キャスク上端の開口は遮蔽体兼用の枠体により塞がれているため、放射性物質はキャスク外へ放出されることはなく、従って、ＵＴ探傷検査時に作業者が被爆する虞が減少する。
【００１５】
【発明の実施の形態】
以下、本発明の実施の形態を図示例と共に説明する。
図１は本発明を実施する形態の一例であって、キャスクに格納されたキャニスタの蓋の溶接部を垂直探傷検査し得るようにした本発明のキャスク構造の部分断面図である。図中、図２に示す物と同一の物には同一の符号が付してある。
【００１６】
本図示例においては、キャスク１における内周壁の上端から、キャスク１内に格納されたキャニスタ２におけるキャニスタ本体２ａに溶接された一次蓋７の略下方近傍位置まで、高さ１１の範囲に亘って、キャスク１の内周壁とキャニスタ本体２ａの外周壁との間の隙間１２は、図２におけるキャスク１の内周壁とキャニスタ本体２ａの外周壁との間の隙間１０よりも大きく形成されている。
【００１７】
又、ＵＴ探傷検査時には、キャスク１上端の開口部に、使用済み燃料３からの放射性物質を遮蔽し得るようにした遮蔽体兼用の枠体１３を外嵌させ得るようになっており、枠体１３には、例えば二次蓋８の溶接部８ａのＵＴ探傷検査を溶接部８ａの面に対し垂直に行い得るよう、すなわち、垂直探傷検査を行い得るよう、ＵＴ探傷子１４はキャニスタ本体２ａの外周において周方向へ回転し得るよう取付けられている。ＵＴ探傷子１４は単体で回転し得るようにしても良いし、枠体１３と一体的に回転し得るようにしても良い。
【００１８】
次に、上記図示例の作動を説明する。
例えば、二次蓋８の溶接部８ａをＵＴ探傷検査する場合には、図１に示すごとく、キャスク１の上端開口にＵＴ探傷子１４を備えた枠体１３を外嵌して、キャスク１の上端開口を塞ぐと共に、ＵＴ探傷子１４を高さ１１に亘る隙間１２により形成された空間に収納して、溶接部８ａと略平行となるようキャニスタ本体２ａの外周に接触させ、ＵＴ探傷子１４をキャニスタ本体２ａの周方向へ回転させつつ、ＵＴ探傷子１４から超音波を発信させる。
【００１９】
超音波は溶接部８ａのキャニスタ本体２ａ内周側の面に対して直角に入射され、溶接部８ａに欠陥がある場合には、欠陥で反射したエコーはＵＴ探傷子１４の発信面に対し直角に戻って来る。
【００２０】
このため、二次蓋８のキャニスタ本体２ａに対する溶接部８ａの検査を容易且つ正確に行うことができると共に、キャスク１上端の開口は遮蔽体１３により塞がれているため、放射性物質はキャスク１外へ放出されることはなく、従って、ＵＴ探傷検査時に作業者が被爆する虞が減少する。
【００２１】
なお、本発明の図示例においては、二次蓋の溶接部をＵＴ探傷検査する場合について説明したが、一次蓋の溶接部のＵＴ探傷検査に適用することも可能なこと、その他、本発明の要旨を逸脱しない範囲内において種々変更を加え得ることは勿論である。
【００２２】
【発明の効果】
以上、説明したように本発明の請求項１、２に記載のキャスク構造によれば、蓋のキャニスタ本体に対する溶接部の検査を容易且つ正確に行うことができると共に、キャスク上端の開口は遮蔽体兼用の枠体により塞がれているため、放射性物質はキャスク外へ放出されることはなく、従って、ＵＴ探傷検査時に作業者が被爆する虞が減少する、という優れた効果を奏し得る。
【図面の簡単な説明】
【図１】キャスクに格納されたキャニスタの蓋の溶接部を垂直探傷検査し得るようにした本発明のキャスク構造の実施の形態の一例の部分断面図である。
【図２】キャスクに格納されたキャニスタの蓋の溶接部を斜角探傷検査し得るようにした従来のキャスク構造の一例の部分断面図である。
【符号の説明】
１    キャスク
２    キャニスタ
３    使用済み燃料
７    一次蓋（蓋）
８    二次蓋（蓋）
８ａ                溶接部
１３  遮蔽体兼用の枠体
１４    ＵＴ探傷子
【図１】
2004309150.tif 000003
【図２】
2004309150.tif 000004